(57)【要約】【課題】  従来のものでは、シャフトが固定されているため慣性モーメント集束や重量バランス調整に限界があり、使用者によってはゴルフプレーの技術を向上することができない場合があった。特に使用者が左利きの場合、左利き用のゴルフパターの種類が少なく、好みのゴルフパターを入手することは困難であった。すべての使用者に対してゴルフプレーの技術を向上させることができるゴルフパターを提供する。【解決手段】  打球面部４を備えたヘッド本体１にシャフト２を取り付けたゴルフパターにおいて、前記ヘッド本体１の上面に、複数の凹部６を形成し、任意の凹部６のいずれか１つに前記シャフト２に連結されたシャフト連結部材３を着脱自在に取り付ける。【選択図】  図１
2007222257.tif 000002
【特許請求の範囲】
【請求項１】
打球面部を備えたヘッド本体にシャフトを取り付けたゴルフパターにおいて、前記ヘッド本体の上面に、複数の凹部を形成し、任意の凹部のいずれか１つに前記シャフトに連結されたシャフト連結部材を着脱自在に取り付けたことを特徴とするゴルフパター。
【請求項２】
任意のいずれか１つ又は２つ以上の凹部にウエイトを着脱自在に取り付けた請求項１記載のゴルフパター。
【請求項３】
ヘッド本体の打球面部に、多孔質金属焼結体を備えた請求項１又は請求項２に記載のゴルフパター。
【請求項４】
ヘッド本体は、略円盤状板の前部を切欠くことにより打球面部を形成してなる請求項１〜請求項３のいずれかに記載のゴルフパター。
【請求項５】
ヘッド本体は、略円盤状板の後部を切欠くことにより転がり防止面部を形成してなる請求項４に記載のゴルフパター。
【請求項６】
ヘッド本体は、略正多角形状板の少なくとも一側面を打球面部としてなる請求項１〜請求項３のいずれかに記載のゴルフパター。
【請求項７】
ヘッド本体は、略正多角形状に形成されると共に、各側面に、ヘッド本体の上面に対して各々角度の異なる傾斜を形成した請求項６に記載のゴルフパター。
【請求項８】
ヘッド本体は、略正三角形状に形成してなる請求項６又は請求項７に記載のゴルフパター。
【発明の詳細な説明】
【技術分野】
【０００１】
本発明は、ゴルフパターに関するものである。
【背景技術】
【０００２】
従来より種々のゴルフパターが提案されている。特にゴルフプレーの技術を向上させるためのゴルフパターが提案されていた。その一例として、ゴルフパターのヘッド本体における打球面のスイートスポットに慣性モーメントを集中するために、ヘッド本体および全体のバランスを調整する慣性モーメント集束・重量バランス調整部材を配備したものが提案されていた（特許文献１参照。）。
【０００３】
【特許文献１】特開平９−６６７号公報
【発明の開示】
【発明が解決しようとする課題】
【０００４】
しかしながら、従来のものでは、シャフトが固定されているため慣性モーメント集束や重量バランス調整に限界があり、使用者によってはゴルフプレーの技術を向上することができない場合があった。特に使用者が左利きの場合、左利き用のゴルフパターの種類が少なく、好みのゴルフパターを入手することは困難であった。
【０００５】
本発明は上記問題点に鑑み、すべての使用者に対してゴルフプレーの技術を向上させることができるゴルフパターを提供することを目的とする。
【課題を解決するための手段】
【０００６】
本発明は、上記目的を達成するために、打球面部を備えたヘッド本体にシャフトを取り付けたゴルフパターにおいて、前記ヘッド本体の上面に、複数の凹部を形成し、任意の凹部のいずれか１つに前記シャフトに連結されたシャフト連結部材を着脱自在に取り付けたことを特徴とする。
【０００７】
本発明によれば、シャフトをヘッド本体に着脱自在に取り付けているため、シャフトの取付位置を変更することにより、使用者の好みに応じたゴルフパターを形成することができる。特に使用者が左利きの場合であってもシャフトの位置およびシャフトの向きを変更することで、好みに応じたゴルフパターを形成することができる。
【０００８】
また本発明において、任意のいずれか１つ又は２つ以上の凹部にウエイトを着脱自在に取り付けると好適である。これによりゴルフパターの微妙な重量バランスを図ることができ、使用者毎に最適なゴルフパターを形成することができる。
【０００９】
また本発明において、ヘッド本体の打球面部に、多孔質金属焼結体を備えると好適である。これにより、ゴルフボールを打った際に、その衝撃が打球面部に備えた多孔質金属焼結体の全面に分散され、ボールが打球面部の打球角度に関係なくゴルフパターのスイング方向に進むことになる。なお、多孔質金属焼結体は、金属片とセラミックス粉状体又は熱硬化性樹脂を混合して形成されたものである。
【００１０】
また本発明において、ヘッド本体は、略円盤状板の前部を切欠くことにより打球面部を形成し、さらにその後部を切欠くことにより転がり防止面部を形成すると好適である。
【００１１】
またヘッド本体は、略正多角形状板（例えば、略正三角形状）の少なくとも一側面を打球面部としてなる構成にしても良い。その場合、ヘッド本体は、略正多角形状に形成されると共に、各側面に、ヘッド本体の上面に対して各々角度の異なる傾斜を形成すると、ロフト角の異なる打球面部が複数存在することとなって、打球面部の選択肢が増加する。
【発明の効果】
【００１２】
本発明によれば、シャフトをヘッド本体に着脱自在に取り付けているため、シャフトの取付位置を変更することにより、使用者の好みに応じたゴルフパターを形成することができる。特に使用者が左利きの場合であってもシャフトの位置およびシャフトの向きを変更することで、好みに応じたゴルフパターを形成することができる。
【００１３】
また、任意のいずれか１つ又は２つ以上の凹部にウエイトを着脱自在に取り付けることにより、ゴルフパターの微妙な重量バランスを図ることができ、使用者毎に最適なゴルフパターを形成することができる。
【００１４】
また、ヘッド本体の打球面部に、多孔質金属焼結体を備えることにより、ゴルフボールを打った際に、その衝撃が打球面部に備えた多孔質金属焼結体の全面に分散され、ボールが打球面部の打球角度に関係なくゴルフパターのスイング方向に進むことになる。
【００１５】
またヘッド本体は、略正多角形状板の少なくとも一側面を打球面部として、さらに各側面に、ヘッド本体の上面に対して各々角度の異なる傾斜を形成すると、ロフト角の異なる打球面部が複数存在することとなって、打球面部の選択肢が増加する。
【００１６】
これにより、すべての使用者に対してゴルフプレーの技術を向上させることができるゴルフパターを提供することができる。
【発明を実施するための最良の形態】
【００１７】
以下に本発明の実施形態を図１〜図６に基づいて詳細に説明する。
【００１８】
本実施形態のゴルフパターは、図１〜図３に示すように、打球面部４を備えたヘッド本体１にシャフト２をシャフト連結部材３を介して着脱自在に取り付けたものである。
【００１９】
ヘッド本体１は、略円盤状のアルミ板の前部を切欠くことにより打球面部４を形成しており、その後部を切欠くことにより転がり防止面部５を形成している。そして上面には、複数（１０個）の凹部６が凹設されており、この凹部６の内周面にはネジ溝が形成されている。そして、任意の凹部６には、シャフト２に連結されたシャフト連結部材３とウエイト９が着脱自在に取り付けられる。
【００２０】
シャフト連結部材３は、図２、図３に示すように、シャフト２の一端に螺着固定され、下部に雄ネジ部が形成されアルミからなる連結本体７と、樹脂からなるナット体８とから構成されている。樹脂製のナット体８を備えないと、連結本体７の雄ネジ部をヘッド本体１の凹部６に螺合により取り付けると、両者がアルミより形成されているため、取り外すことができなくなる場合があるため、ナット体８を設けた。
【００２１】
そして、シャフト２をシャフト連結部材３を介してヘッド本体１に着脱自在に取り付けているため、シャフト２の取付位置を変更することにより、使用者の好みに応じたゴルフパターを形成することができる。特に使用者が左利きの場合であってもシャフト２の位置およびシャフト２の向きを変更することで、好みに応じたゴルフパターを形成することができる。
【００２２】
ウエイト９は、図４に示すように、上端面に六角レンチ等によるねじ込み凹部６が形成され、下部にシャフト連結部材３と同様の雄ネジ部が形成されている。ウエイト９は１つ約１ｇの重さである。そして、図３に示すように、任意の凹部６にウエイト９を螺合により着脱自在に取り付けることができる。このように任意のいずれか１つ又は２つ以上の凹部６にウエイト９を取り付けることにより、ゴルフパターの微妙な重量バランスを図ることができ、使用者毎に最適なゴルフパターを形成することができる。
【００２３】
また、図２、図３に示すように、ヘッド本体１の打球面部４に、多孔質金属焼結体１０を備えている。この多孔質金属焼結体１０は、金属片とセラミックス粉状体又は熱硬化性樹脂を混合して形成されたものであって打球面部４に形成された取付凹部１１に嵌め込まれ接着剤等にて固定されている。これにより、ゴルフボールを打った際に、その衝撃が打球面部４に備えた多孔質金属焼結体１０の全面に分散され、ボールが打球面部４の打球角度に関係なくゴルフパターのスイング方向に進むことになる。
【００２４】
次に本発明の他の実施形態を図５に基づいて説明する。
【００２５】
図５に示すように、ヘッド本体１は、略正三角形状（例えば、略正多角形状板）の少なくとも一側面を打球面部４としてなる構成にしても良い。その場合、ヘッド本体１は、略正多角形状に形成されると共に、各側面に、ヘッド本体１の上面に対して各々角度の異なる傾斜を形成する。具体的には、図５に示すように、打球面部Ａのロフト角ａを３度、打球面部Ｂのロフト角ａを４度、打球面部Ｃのロフト角ａを５度に形成する。これによりロフト角ａの異なる打球面部が複数存在することとなって、打球面部の選択肢が増加する。
【産業上の利用可能性】
【００２６】
本発明は、広く普及し、日常多用されるゴルフに適用できるもので、産業上の利用性を満足することができる。
【図面の簡単な説明】
【００２７】
【図１】本発明の実施形態に係るゴルフパターのヘッド本体を示す平面図である。
【図２】本実施形態のゴルフパターを示す正面図である。
【図３】本実施形態のヘッド本体を示す断面図である。
【図４】本実施形態のウエイトを示す斜視図である。
【図５】本発明の他の実施形態に係るゴルフパターのヘッド本体を示す平面図である。
【図６】本実施形態のヘッド本体のロウト角を示す図である。
【符号の説明】
【００２８】
１  ヘッド本体
２  シャフト
３  シャフト連結部材
４  打球面部
５  転がり防止面部
６  凹部
９  ウエイト
１０  多孔質金属焼結体
【図１】
2007222257.tif 000003
【図２】
2007222257.tif 000004
【図３】
2007222257.tif 000005
【図４】
2007222257.tif 000006
【図５】
2007222257.tif 000007
【図６】
2007222257.tif 000008